(57)【要約】【課題】確実に四足動物の腰椎を支えるための動物用コルセットを提供する。【解決手段】動物用コルセット１０は、四足動物１２の背部１４および胸部１６を覆う身頃１８、四足動物１２の腰椎を支える矯正用支持部材２０、矯正用支持部材２０を収納する収納部２２、収納部２２を四足動物１２に固定するための固定部材２４を備える。固定部材２４が収納部２２に取り付けられていることで、矯正用支持部材２０が四足動物１２から浮きにくくなっている。収納部２２の中心に固定部材２４が取り付けられていることで、矯正用支持部材２０の凸部３６が四足動物１２に向かって押され、矯正用支持部材２０の両端３８で四足動物１２の背部１４を押すことができる。【選択図】図１
2018000167.tif 000002
【特許請求の範囲】
【請求項１】
少なくとも四足動物の背部を覆う身頃と、
前記四足動物の腰椎の長さ方向と同じ方向を向いて配置された矯正用支持部材と、
前記身頃における四足動物の少なくとも腰椎に対応する位置に取り付けられており、前記矯正用支持部材を収納する収納部と、
前記収納部、身頃における収納部の付近、またはその両方に取り付けられた一対の固定部材と、
を備えた動物用コルセット。
【請求項２】
前記矯正用支持部材が凸部を備え、
前記固定部材が取り付けられた位置が、矯正用支持部材を収納部に収納したときに凸部が配置される付近である請求項１の動物用コルセット。
【請求項３】
前記収納部の端部が身頃に向けて折り返された折り返し部を備えた請求項１または２の動物用コルセット。
【請求項４】
前記収納部において、矯正用支持部材よりも四足動物側にクッションを配置した請求項１から３のいずれかの動物用コルセット。
【発明の詳細な説明】
【技術分野】
【０００１】
本発明は、犬や猫などの四足動物に適した動物用コルセットに関するものである。
【背景技術】
【０００２】
ダックスフント、ミニチュアダックスフント、ペキニーズ、プードル、シーズー、パグ、ビーグルといった軟骨異栄養症性犬種の犬は椎間板ヘルニアを発症しやすいと言われている。椎間板ヘルニアを発症すると、脊髄や脊髄からでる神経が圧迫され、麻痺したり痛みを感じたりする。
【０００３】
そこで、犬や猫などの四足動物に適した動物用コルセットが開発されている。たとえば下記の特許文献１の動物用コルセットは、四足動物の胴体に巻きつける巻布、巻布に取り付けられた支えを備えている。支えは棒状になっており、支えによって四足動物の腰椎を支え、固定することができる。
【０００４】
しかし、特許文献１の動物用コルセットは巻布を胴体に巻きつけるだけであり、四足動物の動きによって、巻布が胴体にしっかりと固定されない恐れがある。巻布が胴体から離れると支えで四足動物の腰椎を支えられない。
【先行技術文献】
【特許文献】
【０００５】
【特許文献１】米国特許第５１３７５０８号
【発明の概要】
【発明が解決しようとする課題】
【０００６】
本発明の目的は、確実に四足動物の腰椎を支えるための動物用コルセットを提供することにある。
【課題を解決するための手段】
【０００７】
本発明の動物用コルセットは、四足動物の背部および胸部を覆う身頃、四足動物の背部を支える矯正用支持部材、矯正用支持部材を収納する収納部、身頃に取り付けられた収納部、身頃における収納部の付近、またはその両方に取り付けられた一対の固定部材を備える。
【発明の効果】
【０００８】
本発明によると、固定部材が収納部または身頃における収納部の付近に取り付けられており、収納部に入った矯正用支持部材が四足動物の背部から浮きにくくなっている。四足動物の背部（特に腰椎の部分）を確実に支えられる。
【図面の簡単な説明】
【０００９】
【図１】動物用コルセットを四足動物に着用させた図である。
【図２】動物用コルセットにおける四足動物の反対側の図である。
【図３】動物用コルセットにおける四足動物側の図である。
【図４】矯正用支持部材を示す図であり、（ａ）は側面図であり、（ｂ）は正面図である。
【図５】矯正用支持部材と収納部を示す図であり、（ａ）は収納部に矯正用支持部材が収納された図であり、（ｂ）は矯正用支持部材を収納部に出し入れする図であり、（ｃ）は収納部の折り返し部に矯正用支持部材が入った図である。
【発明を実施するための形態】
【００１０】
本発明の動物用コルセットについて図面を使用して説明する。動物用コルセットは犬や猫などの四足動物に着用させるコルセットである。
【００１１】
図１〜３に示す動物用コルセット１０は、四足動物１２の背部１４および胸部１６を覆う身頃１８、少なくとも四足動物１２の背部を支える矯正用支持部材２０、矯正用支持部材２０を収納する収納部２２、少なくとも収納部２２を四足動物１２に固定するための固定部材２４を備える。
【００１２】
身頃１８は布であり、四足動物１２の背部１４から胸部１６を覆う。身頃１８を構成する布としては、織物や編み物が挙げられる。織物は、ブロード、モスリン、キャラコ、ちりめん、ジョーゼット、ギンガム、トロピカル、銘仙、羽二重、サージ、デニム、ギャバジン、カシミア、ツイル、サテン、ドスキンなどが挙げられる。編み物は、平編、ゴム編、パール編、トリコット、ラッセル、ミラニーズなどが挙げられる。
【００１３】
身頃１８の胸部１６を覆う部分２６は２つに分かれており、その別れた部分にそれぞれ面ファスナーやボタンなどの留め部材２８が取り付けられている。留め部材２８同士を四足動物１２の胸部１６の前で固定することにより、胸部１６を覆う部分２６同士が固定され、四足動物１２に身頃１８を着用させることができる。
【００１４】
身頃１８に袖ぐり３０を設け、四足動物１２の前肢３２が通過するための袖口３４を設けている。四足動物１２の前肢３２を袖口３４に通した後、留め部材２８で身頃１８を固定する。
【００１５】
身頃１８は複数の布を縫い合わせて立体的にしても良い。また、身頃１８における胸部を覆う部分２６や袖ぐり３０は伸縮性の布を使用しても良い。前肢３２を袖ぐり３０に入れやすくなり、身頃１８の留め部材２８を固定しやすくなる。伸縮性の布によって四足動物１２が動きやすくなり、また圧迫感を与えないようにできる。
【００１６】
図４に示すように、矯正用支持部材２０は長尺状になっている。矯正用支持部材２０の形状の一例としては、幅１５ｍｍ、長さ２２５ｍｍ、厚み２ｍｍである。矯正用支持部材２０の長さ方向は、四足動物１２の腰椎の長さ方向と同じ方向を向いている。
【００１７】
矯正用支持部材２０の長さは四足動物１２の腰椎の長さ以上であり、最長は肩甲骨から骨盤までの長さである。矯正用支持部材２０の長さは四足動物１２の体形に合わせて適宜変更することが好ましい。矯正用支持部材２０は四足動物１２の背部１４、特に腰椎の有る部分を支えて固定することができる。さらに腰椎とともに胸椎の有る部分を支えて固定しても良い。
【００１８】
矯正用支持部材２０の材料は樹脂や金属であり、たとえばポリプロピレン、アルミニウム、ステンレス鋼などが挙げられる。矯正用支持部材２０は多少撓むことができるが、元の形状が維持されようとする。四足動物１２の腰椎を支え、固定するためである。
【００１９】
四足動物１２の腰椎を挟んで均等な位置に矯正用支持部材２０が１本ずつ配置される。矯正用支持部材２０は直接腰椎に当たらず、腰椎の周辺に当てて背部１４を支える。四足動物１２の背部１４の広さに応じて矯正用支持部材２０の本数を変更しても良い。背部１４の広さによって支えなければいけない面積が変わるからである。ただし、複数の矯正用支持部材２０が四足動物１２の腰椎から均等な位置に配置される。
【００２０】
矯正用支持部材２０は長さ方向の中心が盛り上がって凸部３６になっている。四足動物１２に動物用コルセット１０を着用させたとき、矯正用支持部材２０の長さ方向の端部３８が四足動物１２の背部１４に接し、長さ方向の中心が四足動物１２から離れる。
【００２１】
身頃１８における四足動物１２の腰椎に対応する位置に収納部２２が取り付けられている。これは、収納部２２に矯正用支持部材２０が収納されており、矯正用支持部材２０が腰椎を支えるためである。なお、上述したように、腰椎を直接支えるのではなく、腰椎の周辺から背部１４を支えるため、収納部２２の幅は腰椎の周辺に広がる。
【００２２】
収納部２２は矯正用支持部材２０を収納するため、矯正用支持部材２０の長さに合わせて収納部２２の長さを長くしても良い。図１の場合、収納部２２は腰椎と胸椎に対応する位置に収納部２２が配置されている。
【００２３】
収納部２２は身頃１８における四足動物１２側に取り付けられている。動物用コルセット１０を四足動物１２に着用させたとき、収納部２２が視認されず、身頃１８のデザインを損ないにくい。収納部２２は布で構成され、身頃１２に縫合または接着されている。
【００２４】
図５（ａ）に示すように、収納部２２の一部は縫合および接着されていず、縫合および接着されていない位置は収納部２２を構成する布が折り返されて、折り返し部４０となっている。折り返し部４０は身頃１８に縫合および接着されていないため、身頃１８と折り返し部４０の間から矯正用支持部材２０が出し入れ可能である（図５（ｂ））。動物用コルセット１０を洗濯するときは矯正用支持部材２０を収納部２２から取り出し、着用するときは矯正用支持部材２０を収納部２２に入れる。
【００２５】
折り返し部４０に矯正用支持部材２０の端部３８が入るように矯正用支持部材２０の長さよりも収納部２２の長さを長くする。矯正用支持部材２０を収納部２２に入れると、矯正用支持部材２０が収納部２２の中で動き、折り返し部４０に矯正用支持部材２０の端部３８が入るようになる（図５（ｃ））。矯正用支持部材２０が折り返し部４０に入ると、矯正支持部材２０が簡単に抜け落ちない。
【００２６】
矯正用支持部材２０は複数本であり、その数に応じて収納部２２を形成しても良いし、１つの収納部２２に複数本の矯正用支持部材２０を収納できるようにしても良い。図３に示すように、身頃１８に１枚の布を縫合した際に仕切り２３を形成し、複数の収納部２２を形成しても良い。
【００２７】
収納部２２における矯正用支持部材２０よりも四足動物１２側にクッション４２を配置している。矯正用支持部材２０によって四足動物１２の背部１４を傷めないためである。クッション４２として、不織布、綿、スポンジなどが挙げられる。
【００２８】
固定部材２４は収納部２２または身頃１８における収納部２２の付近に取り付けられている。固定部材２４は２つであり、収納部２２における幅方向の両側に取り付けられる。
【００２９】
１つの固定部材２４は２本の帯４４をく字形状にしたものであり、く字形状の一端４６は収納部２２の中心に取り付けられ、他端４８は収納部２２における四足動物１２の臀部５０側に取り付けられている。また、収納部２２と一緒に身頃１８にも固定部材２４を取り付けても良い。く字形状の折れ曲がり部分５０に面ファスナーやボタンなどの留め部材５２が取り付けられ、折れ曲がり部分５０同士が四足動物１２の胸部１６で固定される。留め部材５２で四足動物１２の膨質部を圧迫しないように、膨質部に当たらない位置に留め部材５２が配置されるようにする。
【００３０】
固定部材２４が収納部２２またはその付近に取り付けられており、留め部材５２同士を四足動物１２の胸部１６の前で固定することで、固定部材２４が収納部２２を四足動物１２の背部１４に引っ付くように引っ張る。矯正用支持部材２０が四足動物１２の背部１４から浮きにくくなっている。収納部２２の中心に固定部材２４が取り付けられていることで、その取り付けられた付近に矯正用支持部材２０の凸部３６が配置されている。固定部材２４が収納部２２を四足動物１２に向けて引っ張り、矯正用支持部材２０の凸部３６が四足動物１２に向かって押され、矯正用支持部材２０の両端３８で四足動物１２の背部１４を押すことができる。四足動物１２の腰椎を支えやすい。
【００３１】
以上のように、本発明は身頃１８の留め部材２８だけでなく、収納部２２またはその付近に取り付けられた固定部材２４によって収納部２２が四足動物１２の背部１４から離れないようになっている。矯正用支持部材２０が四足動物１２の背部１４（特に腰椎の部分）を支え、固定することができる。また、矯正用支持部材２０に凸部３６が設けてあり、固定部材２４が引っ張られることにより、矯正用支持部材２０が四足動物１２の背部１４を支えやすくなっている。
【００３２】
以上、本発明について実施形態を説明したが、本発明は上記の実施形態に限定されない。たとえば、矯正用支持部材２０は凸部３６を備えていないものであっても良い。真っ直ぐの矯正用支持部材２０を使用する。四足動物１２の体形や症状に応じて矯正用支持部材２０を使い分けても良い。
【００３３】
身頃１８は四足動物１２の背部１４と胸部１６を覆ったが、収納部２２は四足動物１２の背部１４に対応する位置に設けられており、身頃１８は四足動物１２の少なくとも背部１４を覆えばよい。
【００３４】
その他、本発明は、その主旨を逸脱しない範囲で当業者の知識に基づき種々の改良、修正、変更を加えた態様で実施できるものである。
【符号の説明】
【００３５】
１０：動物用衣服
１２：四足動物
１４：背部
１６：胸部
１８：身頃
２０：矯正用支持部材
２２：収納部
２３：仕切り
２４：固定部材
２６：身頃の胸部を覆う部分
２８：留め部材
３０：袖ぐり
３２：前肢
３４：袖口
３６：凸部
３８：端部
４０：折り返し部
４２：クッション
４４：帯
４６：固定部材の一端
４８：固定部材の他端
５０：折れ曲がり部分
５２：留め部材
【図１】
2018000167.tif 000003
【図２】
2018000167.tif 000004
【図３】
2018000167.tif 000005
【図４】
2018000167.tif 000006
【図５】
2018000167.tif 000007